(57)【要約】【課題】作業者に安全帯の使用を効果的に促すことができ、転落事故の減少に貢献することのできる安全帯の使用回数検知装置及び安全帯の使用状況管理方法を提供する。【解決手段】安全帯１に設けられたロープ巻取器５の操作をカウンタユニット１０の操作検知スイッチによって検知し、その操作回数をカウンタユニット１０に記憶するとともに、その操作回数をカウンタユニット１０に接続可能な読取表示器２０の表示部２３に表示するようにしたので、例えば所定期間内に記憶された操作回数を表示することにより、安全帯１の使用状況を作業者に的確に認識させることができる。【選択図】　図２
2004105524.tif 000002
【特許請求の範囲】
【請求項１】
安全帯を使用する際の所定の操作を検知する操作検知手段と、
操作検知手段によって検知された操作の回数を記憶する操作回数記憶部と、
操作回数記憶部に記憶された操作回数を表示する操作回数表示部とを備えた
ことを特徴とする安全帯の使用回数検知装置。
【請求項２】
前記操作検知手段を、安全帯に備わるロープ巻取器の操作を検知するように構成した
ことを特徴とする請求項１記載の安全帯の使用回数検知装置。
【請求項３】
前記操作回数記憶部を安全帯側に設けるとともに、操作回数表示部を安全帯とは別体に構成された外部の表示器に設け、
操作回数記憶部と操作回数表示部とを所定の通信手段を介して接続可能に構成した
ことを特徴とする請求項１または２記載の安全帯の使用回数検知装置。
【請求項４】
前記表示器に、操作回数記憶部に記憶されている操作回数データを所定のスイッチの操作によって読み取り、操作回数表示部に表示する読取表示手段を設けた
ことを特徴とする請求項３記載の安全帯の使用回数検知装置。
【請求項５】
前記表示器に、操作回数記憶部に記憶されている操作回数データを所定のスイッチの操作によって初期化するデータ初期化手段を設けた
ことを特徴とする請求項３または４記載の安全帯の使用回数検知装置。
【請求項６】
前記操作検知手段及び操作回数記憶部を安全帯側に取付可能な所定のユニットに一体に設けた
ことを特徴とする請求項１、２、３、４または５記載の安全帯の使用回数検知装置。
【請求項７】
安全帯を使用する際の所定の操作を検知する操作検知手段と、操作検知手段によって検知された操作の回数を記憶する操作回数記憶部と、操作回数記憶部に記憶された操作回数を表示する操作回数表示部とを備えた使用回数検知装置を用いた安全帯の使用状況管理方法であって、
同一の作業者が着用する安全帯の所定期間における操作回数を前記操作回数記憶部に記憶し、
前記期間の経過後、操作回数記憶部に記憶された操作回数を作業者の安全帯使用状況に対する評価を行うために前記操作回数表示部に表示する
ことを特徴とする安全帯の使用状況管理方法。
【発明の詳細な説明】
【０００１】
【発明の属する技術分野】
本発明は、建設工事現場等の高所作業において作業者が使用する安全帯の使用回数検知装置及び安全帯の使用状況管理方法に関するものである。
【０００２】
【従来の技術】
一般に、工事現場等の高所で作業を行う場合、作業者には転落防止のための安全帯の着用が義務づけられている。この安全帯は所定長さのロープを有し、ロープの先端に取付けられたフックを作業現場の親綱等に掛けることにより、万一の転落の際に作業者をロープで支えるようにしている。
【０００３】
また、前記安全帯としては、ロープを巻き取る巻取器を備え、巻取器からロープを引き出すと、ロープが引き出した長さで保持され、所定の操作部を操作すると、ロープを巻取器に自動で巻き取るようにしたものが知られている（例えば、特許文献１参照。）。
【０００４】
【特許文献１】
特開平８−８９５９２号公報
【０００５】
【発明が解決しようとする課題】
しかしながら、工事現場等では、作業者が作業場所を移動する際、安全帯のロープのフックを親綱から外し、移動先の作業場所で再度フックを親綱に掛けて連結しなければならないが、このようなフックの掛け替え作業は頻繁に行われることが多いため、フック掛けを怠り易く、安全帯を着用しているにも拘わらずその使用が徹底されていないのが現状である。
【０００６】
本発明は前記問題点に鑑みてなされたものであり、その目的とするところは、作業者に安全帯の使用を効果的に促すことができ、転落事故の減少に貢献することのできる安全帯の使用回数検知装置及び安全帯の使用状況管理方法を提供することにある。
【０００７】
【課題を解決するための手段】
本発明は前記目的を達成するために、請求項１では、安全帯を使用する際の所定の操作を検知する操作検知手段と、操作検知手段によって検知された操作の回数を記憶する操作回数記憶部と、操作回数記憶部に記憶された操作回数を表示する操作回数表示部とを備えている。
【０００８】
これにより、安全帯を着用した作業者が高所等で作業する際、安全帯を使用する際の所定の操作が操作検知手段によって検知され、その操作回数が操作回数記憶部に記憶される。また、操作回数記憶部に記憶された操作回数は操作回数表示部に表示されるので、例えば所定期間内に記憶された操作回数を表示することにより、安全帯の使用状況を作業者に的確に認識させることができる。
【０００９】
また、請求項２では、請求項１記載の安全帯の使用回数検知装置において、前記操作検知手段を、安全帯に備わるロープ巻取器の操作を検知するように構成している。
【００１０】
これにより、請求項１の作用に加え、安全帯を使用する際の所定の操作として、ロープの掛け替え時などに行われる巻取器の操作が検知されることから、作業現場ごとのロープの掛け替え頻度に応じて安全帯の適正な使用回数を把握することができる。
【００１１】
また、請求項３では、請求項１または２記載の安全帯の使用回数検知装置において、前記操作回数記憶部を安全帯側に設けるとともに、操作回数表示部を安全帯とは別体に構成された外部の表示器に設け、操作回数記憶部と操作回数表示部とを所定の通信手段を介して接続可能に構成している。
【００１２】
これにより、請求項１または２の作用に加え、安全帯を使用する際の所定の操作が安全帯側に設けられた操作回数記憶部に記憶され、操作回数記憶部とは別体に構成した表示器によって操作回数記憶部の操作回数が表示されることから、安全帯ごとに操作回数の表示機能を備えていなくとも、複数の安全帯の操作回数を一台の表示器によって順次表示することが可能となる。
【００１３】
また、請求項４では、請求項３記載の安全帯の使用回数検知装置において、前記表示器に、操作回数記憶部に記憶されている操作回数データを所定のスイッチの操作によって読み取り、操作回数表示部に表示する読取表示手段を設けている。
【００１４】
これにより、請求項３の作用に加え、操作回数の表示が表示器のスイッチの操作により簡単に行われる。
【００１５】
また、請求項５では、請求項３または４記載の安全帯の使用回数検知装置において、前記表示器に、操作回数記憶部に記憶されている操作回数データを所定のスイッチの操作により初期化するデータ初期化手段を設けている。
【００１６】
これにより、請求項３または４の作用に加え、操作回数データの初期化が表示器のスイッチの操作により簡単に行われる。
【００１７】
また、請求項６では、請求項１、２、３、４または５記載の安全帯の使用回数検知装置において、前記操作検知手段及び操作回数記憶部を安全帯側に取付可能な所定のユニットに一体に設けている。
【００１８】
これにより、請求項１、２、３、４または５の作用に加え、操作検知手段及び操作回数記憶部が一体に設けられたユニットを安全帯に取付けることにより、既製の安全帯にも用いることが可能となる。
【００１９】
また、請求項７では、安全帯を使用する際の所定の操作を検知する操作検知手段と、操作検知手段によって検知された操作の回数を記憶する操作回数記憶部と、操作回数記憶部に記憶された操作回数を表示する操作回数表示部とを備えた使用回数検知装置を用いた安全帯の使用状況管理方法であって、同一の作業者が着用する安全帯の所定期間における操作回数を前記操作回数記憶部に記憶し、前記期間の経過後、操作回数記憶部に記憶された操作回数を作業者の安全帯使用状況に対する評価を行うために前記操作回数表示部に表示する方法を用いている。
【００２０】
これにより、同一の作業者が着用する安全帯の所定期間における操作回数が操作回数記憶部に記憶されるとともに、前記作業期間の経過後、操作回数記憶部に記憶された操作回数が操作回数表示部に表示されることから、例えば使用回数が所定の基準回数に達していない作業者には注意を喚起し、使用回数が基準回数を上回っている作業者は賞賛するなど、作業者の安全帯使用状況に対する評価を行うことができる。
【００２１】
【発明の実施の形態】
図１乃至図４は本発明の一実施形態を示すもので、図１は安全帯の全体斜視図、図２は使用回数検知装置の斜視図、図３はカウンタユニットを示す要部正面図、図４は使用回数検知装置の回路構成図である。
【００２２】
同図に示す安全帯１は工事現場等の高所作業において用いられるもので、本発明の使用回数検知装置を備えたものである。
【００２３】
この安全帯１は、作業者に装着される胴ベルト２と、胴ベルト２から延びるロープ３と、ロープ３の先端に取付けられたフック４と、ロープ３を巻き取る巻取器５とから構成されている。
【００２４】
ロープ３は所定長さ（例えば、１．７ｍ）の平帯状に形成され、例えば高強度のアラミド繊維からなる。
【００２５】
フック４は作業現場の親綱に連結可能な周知の構成からなり、親綱から外しているときは胴ベルト２に設けた収納袋２ａに収納されるようになっている。即ち、フック４は、略Ｕ字状に湾曲したフック本体４ａと、フック本体４ａの開放部分を開閉する可動部４ｂとを有し、可動部４ｂは図示しないロック機構によってロックされ、可動部４ｂの操作部４ｃを操作すると、可動部４ｂのロックが解除されるようになっている。
【００２６】
巻取器５は、巻取器本体５ａ内に備えたリール（図示せず）にロープ３を巻き取る周知の構造からなり、胴ベルト２の所定位置に取付けられている。即ち、この巻取器５は、前記リールを巻き取り方向に付勢するバネ（図示せず）を備え、ロープ３を巻取器本体５ａから引き出すと、図示しないストッパ機構によりロープ３を引き出し位置で保持し、巻取器本体５ａの下面に設けた操作部５ｂを押圧操作すると、前記ストッパ機構が解除されてリールがバネにより巻き取り方向に回転し、ロープ３が巻取器本体５ａ内に巻き取られるようになっている。
【００２７】
次に、本発明の使用回数検知装置について説明する。即ち、本実施形態に示す使用回数検知装置は、巻取器４に取付けられるカウンタユニット１０と、カウンタユニット１０に電気的に接続可能な読取表示器２０とから構成されている。
【００２８】
カウンタユニット１０は、巻取器本体５ａの下面に取付けられるユニット本体１１と、ユニット本体１１の一端から側方に延びる操作片１１ａとを備え、図３（ａ）　に示すようにユニット本体１１は粘着テープやネジ止めによって巻取器本体５ａの下面に固定されるようになっている。この場合、図３（ｂ）　に示すように操作片１１ａの先端側は巻取器５の操作部５ｂの下方に位置するようになっており、操作片１１ａには操作部５ｂに当接可能な操作検知手段としての操作検知スイッチ１２が取付けられている。操作片１１ａは弾性変形可能な板状の部材からなり、操作片１１ａを上方へ押圧すると、操作片１１ａの操作検知スイッチ１２が操作部５ｂに当接するようになっている。これにより、操作部５ｂが押圧操作され、操作検知スイッチ１２がオンになる。また、ユニット本体１１の前面には読取表示器２０を接続するためのジャック１１ｂが設けられている。
【００２９】
また、ユニット本体１１は、操作検知スイッチ１２によって検知された操作部５ｂの操作回数を記憶する操作回数記憶部としての第１の制御部１３と、第１の制御部１３に記憶された操作回数データをリセットするリセット回路１４とを備え、第１の制御部１３は電池等の電源１３ａによって動作するとともに、電源１３ａによって記憶データを保持されるようになっている。即ち、第１の制御部１３には操作検知スイッチ１２が接続され、操作検知スイッチ１２がオンされた回数が第１の制御部１３に記憶される。また、ジャック１１ｂは、第１の制御部１３、リセット回路１４及びアース１５にそれぞれ接続された計３つの接点を備えている。
【００３０】
読取表示器２０は、カウンタユニット１０とは別体に形成された表示器本体２１と、カウンタユニット１０の第１の制御部１３に記憶された操作回数データを読み取る第２の制御部２２と、第２の制御部２２に読み取られた操作回数データを表示する表示部２３とを備え、第２の制御部２２は電池等の電源２２ａによって動作するようになっている。
【００３１】
表示器本体２１はカウンタユニット１０に接続される通信手段としてのケーブル２１ａを有し、ケーブル２１ａの先端に取付けられたプラグ２１ｂをカウンタユニット１０のジャック１１ｂに差し込むことにより、第２の制御部２２がカウンタユニット１０の第１の制御部１３及びリセット回路１４に接続され、表示器本体２１のアース２４がカウンタユニット１０のアース１５に接続されるようになっている。
【００３２】
表示部２３は周知のデジタル表示器からなり、表示部駆動回路２３ａを介して第２の制御部２２に接続されている。また、表示部２３は表示器本体２１の上部に配置されている。
【００３３】
また、表示器本体２１の表示部２３の下方には読取スイッチ２５及びリセットスイッチ２６が設けられている。これらのスイッチ２５，２６は押ボタンスイッチからなり、それぞれ第２の制御部２２に接続されている。即ち、読取スイッチ２５及び第２の制御部２２は読取表示手段を構成し、リセットスイッチ２６及び第２の制御部２２はデータ初期化手段を構成している。
【００３４】
更に、第２の制御部２２及び電源２２ａには電圧監視器２７が接続され、電圧監視器２７は読取スイッチ２５がオン操作されると電源２２ａの電圧を検知するようになっている。
【００３５】
以上のように構成された使用回数検知装置においては、安全帯１の巻取器５の操作に際し、カウンタユニット１０の操作片１１ａを上方へ押圧すると、操作片１１ａに取付けられた操作検知スイッチ１２がオンになり、操作検知スイッチ１２がオンにされた回数が操作回数として第１の制御部１３に記憶される。即ち、第１の制御部１３の初期値は「０」であり、操作検知スイッチ１２がオンにされるごとに「１」ずつ加算される。
【００３６】
次に、カウンタユニット１０のジャック１１ｂに読取表示器２０のプラグ２１ｂを差し込むことにより、読取表示器２０をケーブル２１ａを介してカウンタユニット１０に接続し、読取表示器２０の読取スイッチ２５を押圧（オン操作）すると、カウンタユニット１０の第１の制御部１３に記憶されている操作回数データが第２の制御部２２に読み取られて表示部２３に表示される。その際、読取スイッチ２５をオン操作すると、電圧監視器２７によって電源２２ａの電圧が検知され、電池の消耗等により検知電圧が所定の電圧よりも低下していた場合には、例えば表示部２３の表示を点滅させるなど、所定のアラーム表示が行われる。
【００３７】
次に、読取表示器２０のリセットスイッチ２６を押圧（オン操作）すると、第２の制御部２２からカウンタユニット１０の第１の制御部１３にリセット信号が出力され、第１の制御部１３に記憶されている操作回数データが初期値「０」にリセットされる。
【００３８】
このように、本実施形態の安全帯の使用回数検知装置によれば、安全帯１に設けられたロープ巻取器５の操作を検知し、その操作回数を記憶するとともに、操作回数を任意に表示するようにしたので、例えば所定期間内に記憶された操作回数を表示することにより、安全帯１の使用状況を作業者に的確に認識させることができる。これにより、高所作業現場等の作業者に安全帯１の使用を効果的に促すことができ、転落事故の減少に貢献することができる。
【００３９】
この場合、安全帯１を使用する際の所定の操作として、ロープ３の掛け替え時に行われる巻取器５の操作を検知するようにしたので、作業現場ごとのロープ３の掛け替え頻度に応じて安全帯１の適正な使用回数を把握することができ、作業者の安全帯使用状況を的確に評価することができる。
【００４０】
また、巻取器５の操作回数を安全帯１に取付けたカウンタユニット１０によって記憶し、カウンタユニット１０とは別体に構成した読取表示器２０によってカウンタユニット１０に記憶された操作回数を表示するようにしたので、安全帯１ごとに操作回数の表示機能を備えていなくとも、複数の安全帯１の操作回数を一台の読取表示器２０によって順次表示することができる。従って、複数の安全帯１に用いる場合には装置全体の低コスト化を図ることができ、多数の作業者が作業する大規模な工事現場等で用いる場合に極めて有利である。
【００４１】
更に、読取表示器２０に設けた読取スイッチ２５を操作することにより、カウンタユニット１０に記憶されている操作回数データを読み取って表示するとともに、読取表示器２０に設けたリセットスイッチ２６を操作することにより、カウンタユニット１０に記憶されているデータをリセットするようにしたので、操作回数の表示及びデータのリセットを極めて簡単な操作によって行うことができ、雑多な工事現場等においても安全帯使用状況の確認作業を効率よく行うことができる。
【００４２】
また、操作検知スイッチ１２と第１の制御部１３とを一体に設けたカウンタユニット１０を粘着テープ等によって巻取器５に固定するようにしたので、カウンタユニット１０を別途取付けることにより既製の安全帯にも用いることができ、汎用性の向上を図ることができる。
【００４３】
次に、図５に示すフローチャートを参照し、前記使用回数検知装置を用いた安全帯の使用状況管理方法について説明する。
【００４４】
まず、任意の工事現場等において、前記カウンタユニット１０を取付けた安全帯１を作業者に着用させ（Ｓ１）、現場の作業を開始する（Ｓ１）。その際、作業者が安全帯１を使用すると（Ｓ３）、カウンタユニット１０に記憶されている使用回数が１回加算される（Ｓ４）。この場合、作業者が安全帯１のロープ３を巻取器５から引き出して作業現場の親綱にフック４を連結し、作業場所を移動する際にフック４を親綱から外してロープ３を巻取器５に巻き取ったことを安全帯１の１回の使用回数として計数する。即ち、巻取器５の操作に伴ってカウンタユニット１０の操作検知スイッチ１２がオンにされることにより、その操作回数が安全帯１の使用回数としてカウンタユニット１０に記憶される。従って、安全帯１を着用していても、巻取器５の操作による使用が検知されなければ、使用回数はカウントされない。
【００４５】
次に、所定の作業期間（例えば、一日の作業時間）が経過したならば（Ｓ５）、現場監督等の管理者が作業者の安全帯１のカウンタユニット１０に読取表示器２０を接続し、カウンタユニット１０に記憶されている操作回数を読取表示器２０に表示する（Ｓ６）。これにより、その作業者の安全帯使用回数が管理者によって確認されることから、例えば使用回数が所定の基準回数に達していない作業者には注意を喚起し、使用回数が基準回数を上回っている作業者は賞賛するなど、作業者の安全帯使用状況に対する評価を行う。このような安全帯使用状況の確認作業が終了した後は、カウンタユニット１０に記憶されている使用回数をリセットし（Ｓ８）、次回の使用のための初期化を行う。
【００４６】
このように、本実施形態の安全帯の使用状況管理方法によれば、前記実施形態の使用回数検知装置を用い、同一の作業者が着用する安全帯１の所定の作業期間における操作回数をカウンタユニット１０に記憶するとともに、前記作業期間の経過後、カウンタユニット１０に記憶された操作回数を作業者の安全帯使用状況に対する評価を行うために表示するようにしたので、作業者に対して安全帯の使用を効果的に促すことができ、転落事故の減少に貢献することができる。
【００４７】
尚、前記実施形態では、安全帯１を使用する際の所定の操作としてロープ３の巻取器５の操作を検知するようにしたものを示したが、他の操作として、例えばフック４の操作部４ｃの操作を検知するようにしてもよい。この場合、ロープの巻取器を備えていない安全帯にも用いることができる。
【００４８】
また、前記実施形態の読取表示器２０では、カウンタユニット１０に記憶された操作回数データを読み取るとともに、表示部２３に表示し、カウンタユニット１０のデータをリセットするようにしているが、このような機能に加え、カウンタユニット１０から読み取ったデータを記憶して再度表示可能とする機能や、読取表示器２０に記憶したデータをパーソナルコンピュータ等の任意の外部装置に出力する機能等を備えるようにしてもよい。
【００４９】
更に、前記実施形態では、読取表示器２０をカウンタユニット１０とは別体に構成したものを示したが、これらの機能を有するものを一体に構成した使用回数検知装置を安全帯１側に設けるようにしてもよい。この場合、使用回数検知装置を別途安全帯１に取付けるようにしてもよいが、ロープ３の巻取器に一体に設けるようにしてもよい。
【００５０】
【発明の効果】
以上説明したように、請求項１の安全帯の使用回数検知装置によれば、例えば安全帯を着用した作業者の所定期間内における操作回数を表示することにより、安全帯の使用状況を作業者に的確に認識させることができるので、高所作業現場等の作業者に安全帯の使用を効果的に促すことができ、転落事故の減少に貢献することができる。
【００５１】
また、請求項２の安全帯の使用回数検知装置によれば、請求項１の効果に加え、ロープの掛け替え時などに行われる巻取器の操作を検知することにより、作業現場ごとのロープの掛け替え頻度に応じて安全帯の適正な使用回数を把握することができるので、作業者の安全帯使用状況を的確に評価することができる。
【００５２】
また、請求項３の安全帯の使用回数検知装置によれば、請求項１または２の効果に加え、安全帯ごとに操作回数の表示機能を備えていなくとも、複数の安全帯の操作回数を一台の表示器によって順次表示することができるので、複数の安全帯に用いる場合に装置全体の低コスト化を図ることができ、多数の作業者が作業する大規模な工事現場等で用いる場合に極めて有利である。
【００５３】
また、請求項４の安全帯の使用回数検知装置によれば、請求項３の効果に加え、操作回数の表示を簡単な操作によって行うことができるので、雑多な工事現場等においても安全帯使用状況の確認作業を効率よく行うことができる。
【００５４】
また、請求項５の安全帯の使用回数検知装置によれば、請求項３または４の効果に加え、操作回数データの初期化を簡単な操作によって行うことができるので、雑多な工事現場等においても安全帯使用状況の確認作業を効率よく行うことができる。
【００５５】
また、請求項６の安全帯の使用回数検知装置によれば、請求項１、２、３、４及び５の効果に加え、既製の安全帯にも用いることができるので、汎用性の向上を図ることができる。
【００５６】
また、請求項７の安全帯の使用状況管理方法によれば、例えば使用回数が所定の基準回数に達していない作業者には注意を喚起し、使用回数が基準回数を上回っている作業者は賞賛するなど、作業者の安全帯使用状況に対する的確な評価を行うことができるので、高所作業現場等の作業者に安全帯の使用を効果的に促すことができ、転落事故の減少に貢献することができる。
【図面の簡単な説明】
【図１】本発明の一実施形態を示す安全帯の全体斜視図
【図２】使用回数検知装置の斜視図
【図３】カウンタユニットを示す要部正面図
【図４】使用回数検知装置の回路構成図
【図５】本発明の使用回数検知装置を用いた安全帯の使用状況管理方法を示すフローチャート
【符号の説明】
１…安全帯、３…ロープ、５…巻取器、１０…カウンタユニット、１２…操作検知スイッチ、１３…第１の制御部、２０…読取表示器、２１ａ…ケーブル、２２…第２の制御部、２３…表示部、２５…読取スイッチ、２６…リセットスイッチ。
【図１】
2004105524.tif 000003
【図２】
2004105524.tif 000004
【図３】
2004105524.tif 000005
【図４】
2004105524.tif 000006
【図５】
2004105524.tif 000007